(57)【要約】      （修正有）【課題】食品の鮮度保持のための容器のソフトカバーにおいて、ハンドル付きカバーを提供する。【解決手段】カバー１は、軟性材料からなり、下表面、上表面１２、中央部１３及び周辺部１５を含み、前記中央部には突出したハンドル１４が設けられ、前記ハンドルには切り溝１４２が設けられている。カバーは、下表面が物体に貼付又は被覆された場合に切り溝が密着状態となることで吸着作用を有する。カバーを物体から離脱させようとする場合は、ハンドルを軽く摘むことで該切り溝を開放状態にさせることにより、カバーの吸着作用を解除させることができるため、カバーの離脱を容易にすることができる。【選択図】図１
0003172878.tif 000002
【実用新案登録請求の範囲】
【請求項１】
軟性材料からなり、厚さ方向において互いに対向する下表面と上表面とを含むカバーであって、前記カバーは、中央部と周辺とをさらに含み、前記中央部に上へ隆起したハンドルが設けられ、前記ハンドルの内部に中空収容室が形成され、前記ハンドルの上端に前記カバーの上表面から前記下表面まで貫通する切り溝が設けられ、前記切り溝が前記収容室に連通されることを特徴とするハンドル付きカバー。
【請求項２】
前記ハンドルの両側面に、突出した把持部がそれぞれ設けられ、これらの把持部は、軸方向において離間され、前記切り溝は、これらの把持部の間に位置し、前記軸方向に沿って延在する細長溝孔であることを特徴とする請求項１に記載のハンドル付きカバー。
【請求項３】
前記カバーは、シリコンゲルによって周辺がほぼ円形となる薄片体に製造されることを特徴とする請求項１に記載のハンドル付きカバー。
【考案の詳細な説明】
【技術分野】
【０００１】
本考案は、ハンドル付きカバーに関し、特に、容器カバー、鮮度保持フィル等の用途として使用されるソフトパッドに関するものである。
【背景技術】
【０００２】
容器（コップ、鍋、皿等）内に入れられる食べ物や飲み物に鮮度保持の効果を持たせるためには、通常、鮮度保持フィルム又はカバーにより被覆する。しかしながら、鮮度保持フィルム又は鮮度保持カバーは、プラスチック材料からなるのが一般的であり、食べ物に密着接触した使用状態において毒素が放出される可能性がある。さらに、鮮度保持フィルムが使用されると捨てられるため、材料の浪費となる。
【０００３】
また、上述した問題を解決するために、繰り返し利用可能で且つ吸着効果を有するカバーパッドが提案されているが、ユーザは、該カバーパッドを取り外しようとする場合、カバーパッドの吸着効果によって取り外しが容易にできない不具合があり、さらには不注意によって被覆された物体が落下することがある。
【考案の概要】
【０００４】
そこで、本考案は、上述した課題を解決するたに、容器カバー又は鮮度保持フィルムの用途としてコップ、鍋、皿等の上に被覆されるように使用可能であり、さらに、そのカバーは、容易に把持されるハンドルを有し、該ハンドルに気体リーク構造が設けられることにより、優れる吸着力を有するほか、吸着作用を容易に解除させ、離脱を達成しうる効果を有するハンドル付きカバーを提供することを目的とする。
【課題を解決するための手段】
【０００５】
本考案に係るハンドル付きカバーは、軟性材料からなり、下表面、上表面、中央部及び周辺部を含み、前記中央部には突出したハンドルが設けられ、前記ハンドルの内部には中空収容室が形成され、前記ハンドルには切り溝が設けられている。カバーは、下表面が物体に貼付又は被覆された場合に前記切り溝が密着状態となることで吸着作用を有する。カバーを物体から離脱させようとする場合は、ハンドルを軽く摘むことで該切り溝を開放状態にさせることにより、カバーの吸着作用を解除させることができるため、カバーの離脱を容易にすることができる。
【考案の効果】
【０００６】
本考案に係るハンドル付きカバーによれば、容器カバー又は鮮度保持の用途として使用可能であり、且つ離脱を容易にすることができる効果を有する。
【図面の簡単な説明】
【０００７】
【図１】本考案に係るカバーの斜視図を示す。
【図２】図１のカバーの上面図を示す。
【図３】図２の３−３線に沿って描かれた断面図であり、カバーがコップに被覆された様子を示す。
【図４】図１のカバーの他の断面図であり、カバーがコップに被覆された様子を示す。
【図５】図２のハンドルの把持部を押圧する作動模式図を示す。
【図６】図３のハンドルの把持部を押圧する作動模式図を示す。
【考案を実施するための形態】
【０００８】
図１ないし図６は、本考案に係る一実施例のカバー１を示す。カバー１は、軟性材料からなり、厚さ方向において互いに対向する下表面１１と上表面１２とを含み、さらに中央部１３と周辺１５とを含み、中央部１３に上へ隆起したハンドル１４が設けられ、ハンドル１４の内部に中空収容室１４１が形成され、ハンドル１４の上端にカバー１の上表面１２から下表面１１まで貫通する切り溝１４２が設けられ、切り溝１４２が収容室１４１に連通される。さらに、ハンドル１４の両側面に、突出した把持部１４３がそれぞれ設けられることにより、ユーザがカバー１を容易に把持し操作することができる。この実施例において、これらの把持部１４３は、軸方向において離間され、切り溝１４２は、これらの把持部１４３の間に位置し、該軸方向に沿って延在する細長溝孔である。
【０００９】
この実施例において、カバー１は、シリコンゲル材料によって周辺１５がほぼ円形となる薄片体に製造されることにより、伸縮する弾性作用を有する。ハンドル１４が押圧されない場合は、ハンドル１４上の切り溝１４２が密着状態となっている。さらに、切り溝１４２により空気リーク構造が形成されることにより、カバー１は、離脱操作を容易に達成することができる。
【００１０】
図３及び図４は、本考案に係るカバー１がコップカバーとして使用される様子を示す。実際に実施する場合、ユーザは、カバー１の下表面１１をコップ２の頂端開口に被覆することができる。この場合、ハンドル１４上の切り溝１４２が押圧されない場合に密着状態となっているため、カバー１を押し下げることにより下表面１１に吸着作用を発生させることで、カバー１がコップ２に密着的に被覆されることが可能となり、塵埃防止及び鮮度保持の効果を有する。
【００１１】
図５及び図６を参照して、カバー１をコップ２から取り外しようとする場合は、ハンドル１４の把持部１４３を軽く摘むことでハンドル１４の切り溝１４２を開放状態にさせることにより、外部の空気が切り溝１４２を介して中空収容室１４１内に入るため、カバー１の吸着作用を解除させることができ、カバーの離脱を容易にすることができる。
【００１２】
本考案に係るカバー１は、無毒性のシリコンゲル材料からなるため、鮮度保持フィルム又は鮮度保持カバーとして安全に使用可能である。さらに、カバー１は、繰り返し使用可能であるため、材料の浪費がない。また、カバー１が物体に被覆された後、吸着力及び密着性を有するほか、シール及び吸着の解除作用も有するため、物体からの離脱を容易にすることができる便利な効果が得られる。
【００１３】
以上のように、本考案では、軟性材料からなり、厚さ方向において互いに対向する下表面と上表面とを含むカバーであって、前記カバーは、中央部と周辺とをさらに含み、前記中央部に上へ隆起したハンドルが設けられ、前記ハンドルの内部に中空収容室が形成され、前記ハンドルの上端に前記カバーの上表面から前記下表面まで貫通する切り溝が設けられ、前記切り溝が前記収容室に連通されることを特徴とするハンドル付きカバーとするものである。
【００１４】
また、前記ハンドルの両側面に、突出した把持部がそれぞれ設けられ、これらの把持部は、軸方向において離間され、前記切り溝は、これらの把持部の間に位置し、前記軸方向に沿って延在する細長溝孔であるものとする。
【００１５】
また、前記カバーは、シリコンゲルによって周辺がほぼ円形となる薄片体に製造されるものとする。
【産業上の利用可能性】
【００１６】
本考案に係るハンドル付きカバーによれば、容器カバー又は鮮度保持の用途として使用可能であり、且つ離脱を容易にすることができる効果を有する。
【符号の説明】
【００１７】
１  カバー
１１  下表面
１２  上表面
１３  中央部
１４  ハンドル
１４１  中空収容室
１４２  切り溝
１４３  把持部
１５  周辺
２  コップ
【図１】
0003172878.tif 000003
【図２】
0003172878.tif 000004
【図３】
0003172878.tif 000005
【図４】
0003172878.tif 000006
【図５】
0003172878.tif 000007
【図６】
0003172878.tif 000008